(57)【要約】ウェブの加工機械を駆動する方法では、複数のユニットを、駆動装置によって、機構的に互いに独立して駆動し、仮想の案内軸の案内軸位置の信号を、複数のユニットの駆動装置を接続する少なくとも１つの信号ラインで案内する。駆動装置にそれぞれオフセットを割り当て、オフセットが、案内軸位置に対する目標角度姿勢の持続的で可変の変位を規定するようにする。【特許請求の範囲】
【請求項１】
加工機械の駆動装置であって、
複数の装置（０１；０２；０３；０４；０６；０７）が設けられており、これらの装置（０１；０２；０３；０４；０６；０７）が、これらの装置（０１；０２；０３；０４；０６；０７）に割り当てられた各駆動ユニット（０８）を介して駆動モータ（Ｍ）によって機構的に互いに独立して駆動されており、
これらの駆動ユニット（０８）または前記装置（０１；０２；０３；０４；０６；０７）の下位の駆動制御装置（１７）の少なくとも１つと接続された第１の信号ライン（０９）が設けられており、該信号ライン（０９）が、仮想の案内軸（ａ；ｂ）の案内軸位置（Φ）の信号を案内するようになっている形式のものにおいて、
駆動ユニット（０８）または下位の駆動制御装置（１７）に、第１の信号ライン（０９）とは異なる少なくとも１つの第２の信号ライン（１４）を介して、オフセット（ΔΦｉ）が供給されるようになっており、該オフセット（ΔΦｉ）が、案内軸位置（Φ；Φａ；Φｂ）に対する目標角度位置（Φｉ´）の変位を規定していることを特徴とする、加工機械の駆動装置。
【請求項２】
第１の信号ライン（０９）が、案内軸位置（Φ）の信号を形成する上位の制御装置（１３；１７）と接続されている、請求項１記載の駆動装置。
【請求項３】
上位の駆動制御装置（１３；１７）と駆動ユニット（０８）との間に、少なくとも１つの下位の駆動制御装置（１７）が設けられており、該下位の駆動制御装置（１７）に、信号ライン（９）を介して、現行の案内軸位置（Φ）および／または案内軸運動に関する信号が伝達されるようになっており、下位の駆動制御装置（１７）に割り当てられた少なくとも１つの個々の駆動ユニット（０８）のための制御信号の固有の準備処理が、現行の案内軸位置（Φ）および／または案内軸運動を用いて行われるように、下位の駆動制御装置（１７）が形成されている、請求項２記載の駆動装置。
【請求項４】
加工機械の駆動装置であって、
複数の装置（０１；０２；０３；０４；０６；０７）が設けられており、これらの装置（０１；０２；０３；０４；０６；０７）が、これらの装置（０１；０２；０３；０４；０６；０７）に割り当てられた各駆動ユニット（０８）を介して駆動モータ（Ｍ）によって機構的に互いに独立して駆動されており、
これらの駆動ユニット（０８）または前記装置（０１；０２；０３；０４；０６；０７）の下位の駆動制御装置（１７）の少なくとも１つと接続された第１の信号ライン（０９）が設けられており、該信号ライン（０９）が、上位の制御装置（１３；１７）によって形成された、仮想の案内軸（ａ；ｂ）の案内軸位置（Φ）の信号を案内するようになっている形式のものにおいて、
上位の駆動制御装置（１３；１７）と駆動ユニット（８）との間に、少なくとも１つの下位の駆動制御装置（１７）が設けられており、該下位の駆動制御装置（１７）に、第１の信号ライン（０９）を介して、現行の案内軸位置（Φ）および／または案内軸運動に関する信号が伝達されるようになっており、下位の駆動制御装置（１７）に割り当てられた少なくとも１つの個々の駆動ユニット（０８）のための制御信号の固有の準備処理が、現行の案内軸位置（Φ）および／または案内軸運動を用いて行われるように、下位の駆動制御装置（１７）が形成されていることを特徴とする、加工機械の駆動装置。
【請求項５】
駆動ユニット（０８）または下位の駆動制御装置（１７）に、第１の信号ライン（０９）とは異なる少なくとも１つの第２の信号ライン（１４）を介してオフセット（ΔΦｉ）が供給されるようになっており、該オフセット（ΔΦｉ）が、案内軸位置（Φ；Φａ；Φｂ）に対する目標角度姿勢（Φｉ´）の変位を規定している、請求項４記載の駆動装置。
【請求項６】
オフセット（ΔΦｉ）が、案内軸位置（Φ；Φａ；Φｂ）に対する目標角度姿勢（Φｉ´）の持続的で可変の変位を表している、請求項１または５記載の駆動装置。
【請求項７】
ウェブを印刷する印刷装置（０３）の少なくとも１つの駆動ユニット（０８）と、ウェブを後続処理する後置の装置（０６）の駆動ユニット（０８）とが、それぞれ信号ライン（０９）と接続されており、両方の前記駆動ユニット（０８）にそれぞれオフセット（ΔΦｉ）が割り当てられている、請求項１または４記載の駆動装置。
【請求項８】
駆動ユニット（０８）が、それぞれ下位の駆動制御装置（１７）を介して、信号ライン（０９）と接続されている、請求項１または４記載の駆動装置。
【請求項９】
後続処理する装置（０６）が、折り機（０６）として形成されている、請求項７記載の駆動装置。
【請求項１０】
少なくとも固有のウェブ案内に割り当てられた全ての駆動ユニット（０８）が、ウェブの搬送方向で見当合わせの要求を満たす必要のある装置（０１；０２；０３；０４；０６；０７）の回転駆動のために、共通の信号ライン（０９）と接続されている、請求項１または４記載の駆動装置。
【請求項１１】
少なくとも前記駆動ユニット（０８）に、オフセット（ΔΦｉ）が割り当てられている、請求項１０記載の駆動装置。
【請求項１２】
案内軸位置（Φ）を設定する装置（０１；０２；０３；０４；０６；０７）の１つのオフセット値（ΔΦｉ）が、ゼロである、請求項１または５記載の駆動装置。
【請求項１３】
機械的に互いに独立して駆動される装置（０１；０２；０３；０４；０６；０７）の複数の駆動ユニット（０８）が、共通の下位の駆動制御装置（１７）を介して、信号ライン（０９）と接続されている、請求項１記載の駆動装置。
【請求項１４】
複数の駆動ユニット（０８）が、前記装置（０１；０２；０３；０４；０６；０７）と共に、群（１８）を成している、請求項１３記載の駆動装置。
【請求項１５】
加工機械の駆動装置であって、
複数の装置（０１；０２；０３；０４；０６；０７）が設けられており、これらの装置（０１；０２；０３；０４；０６；０７）が、これらの装置（０１；０２；０３；０４；０６；０７）に割り当てられた各駆動ユニット（０８）を介して駆動モータ（Ｍ）によって機構的に互いに独立して駆動されるようになっており、かつ仮想の案内軸（ａ；ｂ）の案内軸位置（Φ）に関して回転駆動されるようになっている形式にものにおいて、
前記装置（０１；０２；０３；０４；０６；０７）の群（１８）の駆動ユニット（０８）と、案内軸位置（Φ）を設定する上位の駆動制御装置（１３）との間に、該群（１８）の全ての装置（０１；０２；０３；０４；０６；０７）に割り当てられた下位の駆動制御装置（１７）が配置されており、群（１８）に割り当てられた駆動ユニット（０８）のための制御信号の固有の準備処理が、現行の案内軸位置（Φ）および／または案内軸運動を用いて行われるように、下位の駆動制御装置（１７）が形成されていることを特徴とする、加工機械の駆動装置。
【請求項１６】
群（１８）が、複数の印刷装置（０３）を備えている、請求項１４または１５記載の駆動装置。
【請求項１７】
群（１８）が、少なくとも１つの印刷装置（０３）を備えた複数の下位群（０２）、特に印刷ユニット（０２）を備えている、請求項１４または１５記載の駆動装置。
【請求項１８】
群（１８）の駆動ユニット（０８）が、それぞれ異なる案内軸（ａ；ｂ）に割り当てられている、請求項１４または１５記載の駆動装置。
【請求項１９】
信号ライン（０９）が設けられており、該信号ライン（０９）が、現行の案内軸位置（Φ）および／または案内軸運動に関する信号を案内するようになっている、請求項１５記載の駆動装置。
【請求項２０】
信号ライン（０９）が、複数の仮想の案内軸（ａ；ｂ）の案内軸位置（Φ；Φａ；Φｂ）の信号を案内するようになっている、請求項１、４または１９記載の駆動装置。
【請求項２１】
下位群（１８）の駆動ユニット（０８）が、下位の制御装置（１７）によって、それぞれ異なる仮想の案内軸（ａ；ｂ）に関する目標角度姿勢（Φ´）を受け取るようになっている、請求項１７または２０記載の駆動装置。
【請求項２２】
固有のオフセット値（ΔΦｉ）が、駆動制御装置（１３；１７）で見越されている、請求項１または４記載の駆動装置。
【請求項２３】
固有のオフセット値（ΔΦｉ）が、下位の駆動制御装置（１３；１７）で見越されている、請求項１または４記載の駆動装置。
【請求項２４】
個々の駆動ユニット（０８）のための固有の目標角度姿勢（Φｉ´）が、駆動制御装置（１３；１７）において、案内軸位置（Φ；Φａ；Φｂ）と固有のオフセット（ΔΦｉ）とから形成されて、該当する駆動ユニット（０８）に供給されるようになっている、請求項２２または２３記載の駆動装置。
【請求項２５】
前記信号ライン（０９）とは異なる信号ライン（１４）を介して、前記装置（０１；０２；０３；０４；０６；０７）が、相互接続されていて、かつ計算兼データ処理ユニット（１１）と接続されている、請求項１または５記載の駆動装置。
【請求項２６】
前記信号ライン（０９）とは異なる信号ライン（１４）を介して、下位の駆動制御装置（１７）にオフセット値（ΔΦｉ）が供給されている、請求項２５記載の駆動装置。
【請求項２７】
前記信号ライン（０９）とは異なる信号ライン（１４）を介して、少なくとも駆動ユニット（０８）とは異なるアクチュエータおよび／または前記装置（０１；０２；０３；０４；０６；０７）の駆動ユニットのための目標値設定および実際値算出に関する、計算兼データ処理ユニット（１１）と前記装置（０１；０２；０３；０４；０６；０７）との間の通信が行われるようになっている、請求項２５記載の駆動装置。
【請求項２８】
操作ユニットが設けられており、該操作ユニットにオフセット値（ΔΦｉ）が入力されるようになっている、請求項１または５記載の駆動装置。
【請求項２９】
記憶ユニットが設けられており、該記憶ユニットに、固有の生産に関する個々の駆動ユニットのためのオフセット値（ΔΦｉ）を記憶させることができ、かつ必要な場合該記憶ユニットから前記オフセット値（ΔΦｉ）を読み取ることができるようになっている、請求項１または５記載の駆動装置。
【請求項３０】
加工機械を駆動する方法であって、
複数の装置（０１；０２；０３；０４；０６；０７）を、駆動ユニット（０８）によって機構的に互いに独立して駆動し、これらの装置（０１；０２；０３；０４；０６；０７）の駆動ユニット（０８）を接続する少なくとも１つの信号ライン（０９）で、仮想の案内軸（ａ；ｂ）の案内軸位置（Φ）の信号を案内する方法において、
駆動ユニット（０８）に、それぞれオフセット（ΔΦｉ）を割り当て、該オフセット（ΔΦｉ）が、案内軸位置（Φ；Φａ；Φｂ）に対する目標角度姿勢（Φｉ´）の持続的で可変の変位を規定するようにし、案内軸位置（Φ；Φａ；Φｂ）を、加工機械の始動前に、前記装置（０１；０２；０３；０４；０６；０７）の１つの現行の角度位置に基づいて調整し、案内軸位置（Φ）を、加工機械の運転中に、信号ライン（０９）と接続された上位の駆動制御装置（１３；１７）によって設定することを特徴とする、加工機械を駆動する方法。
【請求項３１】
加工機械を駆動する方法であって、
複数の装置（０１；０２；０３；０４；０６；０７）を、駆動ユニット（０８）によって機構的に互いに独立して駆動し、これらの装置（０１；０２；０３；０４；０６；０７）の駆動ユニット（０８）を接続する少なくとも１つの信号ライン（０９）で、仮想の案内軸（ａ；ｂ）の案内軸位置（Φ）の信号を案内する方法において、
駆動ユニット（０８）に、それぞれオフセット（ΔΦｉ）を割り当て、該オフセット（ΔΦｉ）が、案内軸位置（Φ；Φａ；Φｂ）に対する目標角度姿勢（Φｉ´）の持続的で可変の変位を規定するようにし、案内軸位置（Φ；Φａ；Φｂ）を、加工機械の始動前に、案内軸位置（Φ）の、最後に占められて記憶された位置で調整し、案内軸位置（Φ）を、加工機械の運転中に、信号ライン（０９）と接続された上位の駆動制御装置（１３；１７）によって設定することを特徴とする、加工機械を駆動する方法。
【請求項３２】
加工機械の停止後に、最後に占められた案内軸位置（Φ）を記憶装置に記憶させ、案内軸位置（Φ）を、新たな始動前に、記憶装置に記憶された案内軸位置で調整する、請求項３１記載の方法。
【請求項３３】
加工機械を駆動する方法であって、
複数の装置（０１；０２；０３；０４；０６；０７）を、駆動ユニット（０８）によって機構的に互いに独立して駆動し、これらの装置（０１；０２；０３；０４；０６；０７）の駆動ユニット（０８）を接続する少なくとも１つの信号ライン（０９）で、仮想の案内軸（ａ；ｂ）の案内軸位置（Φ）の信号を案内する方法において、
案内軸位置（Φ）を、印刷装置（０３）の角度姿勢によって設定し、少なくとも生産に割り当てられた一般的な駆動ユニット（０８）に、それぞれオフセット（ΔΦｉ）を割り当て、該オフセット（ΔΦｉ）が、案内軸位置（Φ；Φａ；Φｂ）に対する目標角度姿勢（Φｉ´）の持続的で可変の変位を規定するようにすることを特徴とする、加工機械を駆動する方法。
【請求項３４】
案内軸位置（Φ）を、加工機械の始動前に、印刷装置（０３）の現行の角度姿勢に基づいて調整する、請求項３３記載の方法。
【請求項３５】
案内軸位置（Φ）を、加工機械の運転中に、追加的に印刷装置（０３）の角度姿勢によって設定する、請求項３４記載の方法。
【請求項３６】
案内軸位置（Φ）を、加工機械の運転中に、信号ライン（０９）と接続された上位の駆動制御装置（１３；１７）によって設定する、請求項３４記載の方法。
【請求項３７】
案内軸位置（Φ）を、加工機械の運転中に、印刷装置（０３）に割り当てられた駆動制御装置（１７）によって設定する、請求項３３記載の方法。
【請求項３８】
案内軸位置（Φ）の調整前に、複数の印刷装置（０３）の１つを、基準として選択する、請求項３３記載の方法。
【請求項３９】
運転中に、ウェブの搬送方向で見当合わせの要求を満たす必要のある装置（０１；０２；０３；０４；０６；０７）の、少なくとも固有のウェブ案内に割り当てられた回転式の全ての駆動ユニットに、駆動制御装置（１３；１７）によって形成される案内軸位置（Φ）に依存して目標角度姿勢（Φｉ´）を設定する、請求項３０または３１記載の方法。
【請求項４０】
ウェブを印刷する印刷装置（０３）の、信号ライン（０９）と接続された少なくとも１つの駆動ユニット（０８）と、ウェブを後続処理する後置の装置（０６）の、信号ライン（０９）と接続された駆動ユニット（０８）とに、それぞれオフセット（ΔΦｉ）を割り当てる、請求項３０，３１または３３記載の方法。
【請求項４１】
案内軸位置（Φ）を、加工機械の運転中に、前記装置（０１；０２；０３；０４；０６；０７）の１つの現行の角度位置とは無関係に、専ら駆動制御装置（１３；１７）によって設定する、請求項３０または３１記載の方法。
【請求項４２】
固有のオフセット値（ΔΦｉ）を、駆動制御装置（１３；１７）において見越す、請求項３０、３１または３３記載の方法。
【請求項４３】
加工機械を駆動する方法であって、
複数の装置（０１；０２；０３；０４；０６；０７）を、駆動ユニット（０８）によって機構的に互いに独立して駆動する方法において、
第１の信号ライン（０９）で、専ら仮想の案内軸（ａ；ｂ）の、個々の駆動装置（０８）の相対的な目標角度姿勢にまだ適合されていない案内軸位置（Φ）の信号を案内し、第２の信号ライン（１６；１６´；１４；２５；２７）で、駆動ユニット（０８）または前記装置（０１；０２；０３；０４；０６；０７）の下位の駆動制御装置（１７）に、それぞれ固有のオフセット（ΔΦｉ）を供給し、該オフセット（ΔΦｉ）が、案内軸位置（Φ；Φａ；Φｂ）に対する目標角度姿勢（Φｉ´）の変位を規定するようにすることを特徴とする、加工機械を駆動する方法。
【請求項４４】
生産に関与する前記装置（０１；０２；０３；０４；０６；０７）に関する案内軸位置（Φ）の出力を、上位の駆動制御装置（１３）によって行い、前記装置（０１；０２；０３；０４；０６；０７）の個々の駆動ユニット（０８）のための固有の目標角度姿勢の準備処理を、下位の駆動制御装置（１７）で行い、該下位の駆動制御装置（１７）が、固有の目標角度姿勢を、設定値として、個々の前記装置（０１；０２；０３；０４；０６；０７）の調整装置（０８）に伝達する、請求項４３記載の方法。
【請求項４５】
加工機械を駆動する方法であって、
複数の装置（０１；０２；０３；０４；０６；０７）を、駆動ユニット（０８）によって機構的に互いに独立して駆動する方法において、
第１の信号ライン（０９）で、専ら仮想の案内軸（ａ；ｂ）の、個々の駆動装置（０８）の相対的な目標角度姿勢にまだ適合されていない案内軸位置（Φ）の信号を案内し、案内軸位置（Φ）を下位の駆動制御装置（１７）に供給し、複数の前記装置（０１；０２；０３；０４；０６；０７）の群のための下位の駆動制御装置（１７）が、案内軸位置（Φ）および固有の各オフセット（ΔΦｉ）に基づいて、各前記装置もしくは前記装置の駆動ユニット（０８）の位置決めのための案内値を求めて出力することを特徴とする、加工機械を駆動する方法。
【請求項４６】
固有のオフセット値（ΔΦｉ）を、後置の複数の駆動ユニット（０８）に割り当てられた共通の下位の駆動制御装置（１３；１７）で見越す、請求項３０、３１、３３、４３または４５記載の方法。
【請求項４７】
個々の駆動ユニット（０８）のための固有の目標角度姿勢（Φｉ´）を、駆動制御装置（１３；１７）で、案内軸位置（Φ；Φａ；Φｂ）と固有のオフセット値（ΔΦｉ）とから形成して、該当する駆動ユニット（０８）に供給する、請求項３０、３１、３３、４３または４５記載の方法。
【請求項４８】
固有のオフセット値（ΔΦｉ）を、個々の駆動ユニット（０８）において見越し、該駆動ユニット（０８）において、固有の目標角度姿勢（Φｉ´）を、案内軸位置（Φ；Φａ；Φｂ）と固有のオフセット値（ΔΦｉ）とから形成する、請求項３０、３１、３３、４３または４５記載の方法。
【請求項４９】
オフセット値（ΔΦｉ）を、操作ユニットにおいて入力する、請求項３０、３１、３３、４３または４５記載の方法。
【請求項５０】
固有の生産に関する、個々の駆動ユニット（０８）のためのオフセット値（ΔΦｉ）を、記憶ユニットに記憶させ、必要な場合に該記憶ユニットから読み取る、請求項３０、３１、３３、４３または４５記載の方法。
【発明の詳細な説明】
【技術分野】
【０００１】
本発明は、請求項１；４；１５もしくは３０；３１；３３；４３；４５の上位概念に記載の形式の、加工機械を駆動する、特にウェブを処理する方法および駆動装置に関する。
【０００２】
ドイツ連邦共和国特許出願公開第３７３０６２５号明細書によって駆動装置が公知であり、ここでは印刷機の各印刷ユニットもしくは折り機に一次ステーションが割り当てられており、一次ステーションは上位の制御装置から操作目標値を受け取り、該当する構成群の二次ステーションに送る。
【０００３】
ドイツ連邦共和国特許第４２１４３９４号明細書には、縦軸のない印刷機のための駆動装置が開示されており、ここでは折り機はデータ技術的にバスを介して印刷箇所群と接続されている。折り機は、基準位置を印刷箇所群に送る。個々の印刷箇所群の駆動装置に関して共通の駆動制御装置は、相互的に、または折り機に対して駆動装置の微調整を行う。
【０００４】
欧州特許公開第１２８７９８７号明細書によって駆動接続が公知であり、ここでは主制御ユニット内で個々の駆動装置のための目標角度姿勢および目標角速度が形成されて、ネットワークを介して予め規定された時間間隔で駆動装置全体に伝達される。
【０００５】
欧州特許公開第１１５１８６５号明細書から駆動制御装置が公知であり、ここでは個々の駆動装置に関する現行の案内軸インパルスもフェイズ修正値も共通のネットワークを介して各駆動装置に伝達される。１構成では、折り機の駆動装置に修正値が伝達されない。なぜならば折り機の位置は、基準値として作用するからである。
【０００６】
本発明の課題は、加工機械を駆動する方法および駆動装置を提供することである。
【０００７】
この課題は、請求項１；４；１５もしくは３０；３１；３３；４３；４５の特徴部に記載した構成手段を有する方法および装置によって解決される。
【０００８】
本発明によって得られる格別な利点によれば、電子的な案内軸からの基準位置によって、印刷ユニットにも折り機にも生じるエラーは、測定系および／または機械的な駆動系でより良好に処理できる。共通の案内軸の関係および分離によって、印刷ユニットの駆動装置にとってもまた折り機にとっても、案内軸に対するオフセット値が、調節可能であり、かつ特定の生産（ウェブ案内）のための有利な実施形態では設定可能である。
【０００９】
有利な実施例では、印刷ユニットの回転式の各駆動装置（少なくとも他の版胴とは無関係に駆動される版胴の駆動装置）と、折り機の駆動装置とに、案内軸に対するオフセット値は調節可能であるか、もしくは設定可能である。オフセット値は、たとえば駆動装置の各駆動調整装置で、または有利には下位の制御装置で調節されるか、もしくはそこでオフセットとして記憶される。特定のオフセットの設定は、たとえばガイドスタンドにおいて入力するか、もしくは変化させることができ、かつ／または特定の生産のためにそこで記憶させて、適当に呼び出して、次いで駆動調整装置もしくは下位の駆動制御装置に伝達することができる。
【００１０】
有利な実施形態では、上位の駆動制御装置で、関係する全ての駆動装置のための制御信号の準備処理が行われず、専らこれらの駆動制御装置から上位の案内軸運動が伝達される。
【００１１】
個々の駆動装置のための固有の準備処理は、案内軸運動と追加的な固有の情報（たとえば目標角度姿勢からのオフセットおよび／または偏差）とに基づいて、駆動装置自体で行われるか、または下位の制御装置で行われる。案内軸のために設けられた信号ライン（ネットワーク）は、個々の駆動装置にとって不要の、様々な多数のジョブによって負荷されず、位置情報および／または安全性に関する繰り返し頻度は高めることができる。別の実施形態では、上位の案内軸運動の形成は、横向きに接続された複数の下位の駆動制御装置の１つによって引き受けられ、この下位の駆動制御装置は、上位の駆動制御装置（マスタ）と見なすことができる。横接続は、この場合でも、専ら上位の案内軸運動の信号を伝達する。特別に設けられる上位の駆動制御装置は、この場合省略することができる。
【００１２】
有利な実施形態では、回転する電子軸の信号案内と、駆動装置にとって固有の値、たとえば案内軸位置に対するオフセット値の伝達とのために、それぞれ異なる様々なネットワークが設けられている。このことは伝達時の安全性およびデータ伝達時の高速化に役立つ。
【００１３】
有利な実施形態では、制御しようとする駆動装置と、案内軸を形成する駆動制御装置との間に、下位の駆動制御装置が設けられており、下位の駆動制御装置は、広範囲にわたる案内軸を取り出し、割り当てられた駆動装置の、そこから導出された個々の制御（角度姿勢、角速度）を行う。有利には、複数の印刷装置の１つを備えた印刷ユニットもしくは印刷タワーでは、複数の駆動装置が下位の駆動制御装置に割り当てられている。
【００１４】
次に本発明の実施例を図示し、詳しく説明する。
【００１５】
ウェブ状の材料のための処理機械、たとえば印刷機、特に輪転印刷機は、機構的に互いに独立した、それぞれ１つの駆動モータＭによって駆動される複数のユニットを備えている。互いに独立して駆動されるユニットは、たとえば直接的または間接的に、印刷機を通走するウェブ、たとえば被印刷材料ウェブと協働する。したがってウェブに対するユニットの相対的な姿勢（位置）もしくはユニット同士の相互的な姿勢は調整する必要がある。このようなユニットは、印刷タワー０１、個々の印刷ユニット０２、個々の印刷装置０３または個々の胴０４、特に印刷装置０３の個々の版胴０４であってよい。さらにまたこのようなユニットは、たとえば印刷後にウェブを後続処理するユニット０６、特に折り機０６、またはたとえば穿孔装置、打抜装置、集合装置、断裁装置などであってよい。さらにこのような独立駆動式のユニットは、単数または複数の案内エレメント０７、たとえば引張ローラ、スキップスリッタ、レジスタローラなどであってよい。
【００１６】
図１には、駆動モータＭによって駆動される、機構的に互いに独立した３つのユニットを示した。左側に示した２つのユニットは、たとえば印刷タワー０１、印刷ユニット０２、印刷装置０３または胴０４であってよい。中位の、または図示していない別のユニットは、ガイドエレメント０７であってよい。右側のユニットは、たとえば後続処理を行うユニット０６、特に折り機０６であってよい。
【００１７】
駆動モータＭにそれぞれ駆動調整装置を備えた駆動ユニット０８もしくは調整ユニット０８が対応配置されており、駆動ユニット０８もしくは調整ユニット０８は以下に略して駆動装置０８とも記載する。駆動装置０８は、それぞれ少なくとも１つの信号ライン０９を介して直接的または間接的に相互接続されていて、かつ計算兼データ処理ユニット１１、たとえば計算機１１と接続されている。計算兼データ処理ユニット１１は、追加的に操作ユニットを備えているか、または操作ユニット１０、たとえばガイドスタンド１０と接続されている。駆動装置０８（もしくは調整装置）は、原則的に直列で直接的にリング構造またはバス構造（図示せず）で、または図示したように木構造で信号ライン１２を介して信号ライン０９と結合することができる。
【００１８】
少なくとも１つの信号ライン０９は、計算ユニット１３たとえば上位の駆動制御装置１３によって設定される案内軸位置（マスタ軸位置）Φの信号を案内する。信号ライン０９は、計算ユニット１３と共に、信号ライン０９と接続されたユニットのためのいわゆる仮想の案内軸０９，１３（電子軸）を成しており、案内軸位置Φで、ユニットの姿勢もしくは位置が配向される。案内軸位置Φは、設定値（基準値）として駆動装置０８に伝達される。
【００１９】
計算兼データ処理ユニット１１は、最も所望される生産速度に関する設定値を、上位の駆動制御装置１３に送り、かつ上位の駆動装置１３、信号ライン０９（横−通信）および信号ライン１２を介して、駆動装置０８と接続されている。
【００２０】
各調整装置０８に、固有のオフセットΔΦｉ、たとえば角度偏差Φｉが設定可能であり、オフセットΔΦｉは、案内軸位置Φに対するする持続的でしかも可変の変位を規定する。このオフセットΔΦｉは、たとえば直接的に調整装置０８で、かつ／または計算兼データ処理ユニット１１を介して入力可能であり、かつ／または固有の運転状況、特に固有のウェブ案内に関して、計算兼データ処理ユニット１１における記憶装置に格納可能であり、かつ呼び出し可能である。信号ライン０９は、適当な形式で、たとえば広帯域のバスまたは広帯域のネットワークとして形成されている場合、設定されかつ規定されたオフセットΔΦｉ、ならびに「回転する」案内軸位置Φに関する情報は、場合によっては共通の信号ライン０９を介して得られる。信号ライン０９は、それぞれ追加的に制御系２４と接続することができ、制御系２４は、たとえば駆動モータＭとは異なるアクチュエータ、および印刷ユニット０２もしくは印刷装置０３もしくは折り機０６、たとえばインキ供給、ローラおよび／または胴の調節運動、湿し装置、位置などを制御しかつ／または調整する（接続部は波線で示した）。
【００２１】
各オフセットΔΦｉは、たとえば生産開始前にガイドスタンド１０または計算兼データ処理ユニット１１から駆動装置０８に送られて、そこで記憶される。有利な実施例では、オフセットΔΦｉは、駆動中もしくは生産中に、駆動装置０８自体で、特に計算兼データ処理ユニット１１を介して変化可能である。
【００２２】
種々異なる駆動装置０８のためのオフセット値ΔΦｉは、１実施例では、上位の駆動制御装置１３に記憶させることができる。この場合各駆動装置０８は、信号ライン０９；１２（もしくは直列で信号ライン０９だけ）を介して、設定値として、回転する案内軸位置Φと、各駆動装置０８の、記憶された固有のオフセットΔΦｉとの和を受け取る。
【００２３】
したがって全ての駆動装置０８、たとえば両方の第１の、印刷タワー０１として形成されたユニットの駆動装置０８、ならびに折り機０６として形成されたユニットの駆動装置０８は、案内軸位置Φの絶対位置に対して規定されたオフセット値ΔΦｉで、上位の駆動制御装置１３からの、回転する案内軸位置Φに従う。
【００２４】
図１の実施例とは異なって、図２の実施例では、各オフセットΔΦｉ（および場合によってはその他の関連データ）の伝達のために、信号ライン０９とは異なる信号ライン１４が設けられている。さらに信号ライン０９と信号ライン１２との間の接続、もしくは上位の駆動制御装置１３と駆動装置０８との間の接続のために、それぞれ通信ノード１７、たとえば下位の駆動制御装置１７が設けられている。
【００２５】
案内軸位置Φを設定するための計算ユニット１３は、たとえば信号ライン１４を介して計算兼データ処理ユニット１１と接続されており、計算兼データ処理ユニット１１から、計算ユニット１３は、たとえば生産速度もしくは現行の目標回転数に関する設定値を受け取る。現行の各案内軸位置Φは、上位の駆動制御装置１３によって設定されて、信号ライン０９に供給される。信号ライン０９から、回転する案内軸位置Φに関する情報は、それぞれ通信ノード１７を介して信号ライン１２に送られて、そこで直接的に現行の生産に関連する駆動装置０８に供給される。通信ノード１７は、図２に示したように、信号ライン１２、たとえばリングトポロジーまたはバストポロジーのネットワーク１２を介して、各駆動モータＭによって駆動される下位の複数のユニット、たとえば印刷ユニット０２、印刷装置０３または胴０４と接続することができる。このようにして通信ノード１７を介してまとめられる下位のユニットは、以下に機構的に互いに独立して駆動されるユニットもしくは装置の群１８と記載する。この場合通信ノード１７は、たとえば案内軸位置Φを、信号ライン０９から、群１８の、（生産範囲内で関与する）後置の全てのユニットもしくは装置、たとえば印刷ユニット０２または印刷装置０３に伝達する。
【００２６】
図２に示した実施例では、中位のユニットは、複数の下位ユニット、たとえば２つの印刷ユニット０２、２つの印刷装置０３または２つのガイドエレメント０７などの群１８を成しており、両方の駆動装置０８は通信ノード１７を介して案内軸位置Φを受け取る。
【００２７】
第１の実施例では、生産固有のオフセット値ΔΦｉの伝達は、計算兼データ処理ユニット１１もしくはガイドスタンド１０からユニットの個々の駆動装置０８に行われ、そこでオフセット値ΔΦｉは記憶されて、案内軸位置Φと共に後続処理される。ここでは伝達は、たとえば木構造で、信号ライン１４から装置ごとの共通の信号ライン１６を介して（またはスター形に、装置ごとの個別的な複数の信号ライン１６を介して）駆動装置０８に向かって行われる（実線）。
【００２８】
第２の実施例（波線）では、オフセットΔΦｉの伝達は、信号ライン１４から論理接続部１６´を介して直接的または間接的に各通信ノード１７に向かって行われる。論理接続部１６´の物理構造は、直接的または間接的に別の接続部、たとえばバス結合器、ブリッジなど、またはたとえば図１または図３に示した制御系２４を介して得られる。この場合信号ライン１６は省略することができる。この実施例の第１の形態では、固有のオフセットΔΦｉは、通信ノード１７から専ら信号ライン１２を介して適当な駆動装置０８に供給されて、そこで記憶される。
【００２９】
有利な第２の形態では、通信ノード１７は、記憶装置と独自の知能とを備えた下位の駆動制御装置１７として次のように形成されていて、つまりそこで割り当てられた駆動装置０８および固有の生産に関して設定されたオフセット値ΔΦｉが記憶されて、生産に関与する駆動装置０８に、それぞれたとえば目標角度姿勢Φｉ´としての、アドレス指定された固有の案内軸位置Φｉ´（Φｉ´＝Φ＋ΔΦｉ）、が下位の駆動制御装置１７を通って供給されるように、形成されている。記載の関係は、ここでは、また以下において、単に原理を明確にするものに過ぎない。
【００３０】
もちろん固有の案内軸位置ΔΦｉ´に追従する際に、駆動しようとする装置などの周囲を考慮する必要があるので、実際の関係は、たとえば別の装置固有のファクタを有している。
【００３１】
したがって計算兼データ処理ユニット１１は、一方では上位の駆動制御装置１３、信号ライン０９（横−通信）、各通信ノード１７ならびに信号ライン１２、たとえばバス１２を介して、駆動装置０８と接続されている。構成（印刷ユニット０２および／または印刷装置０３の結合）に関する情報または共通の生産速度は、この経路で交換することができる。
【００３２】
計算兼データ処理ユニット１１は、固有のオフセットΔΦｉに関する情報を伝達するために、既に記載したように、信号ライン１４と信号ライン１６とを介して、また制御ライン１４と論理接続部１６´と通信ノード１７と信号ライン１２とを介して、適当な駆動装置０８と接続されている。
【００３３】
図２に示した実施例では、群１８の駆動モータＭもしくは駆動装置０８は、相互的に、かつ下位の制御装置１７と接続されている。群１８またはユニットの下位の駆動制御装置１７は、少なくとも１つの信号ライン０９を介して相互的に、かつ上位の駆動制御装置１３と接続されている。ここでは追加的に計算兼データ処理ユニット１１は、固有のオフセット値ΔΦｉを伝達するために、少なくとも１つの信号ライン１４を介して、駆動装置０８もしくは通信ノード１７と接続されている。
【００３４】
信号ライン０９は、有利な実施例では、実時間に関するデータおよび決定的な時間動作のための規定の時間枠を有する、実時間対応の接続部０９として形成されている。接続部０９は、追加的にチャンネルを備えることができ、チャンネル内で、たとえば実時間に関係しないデータ、たとえば図１に示した実施例に基づく固有のオフセット値ΔΦｉの伝達、および／または図１に示した実施例に基づく構成、生産速度などに関する情報を伝達することができる。
【００３５】
信号ライン１２もまた、有利な実施例では、実時間に関するデータおよび決定的な時間動作のための規定の時間枠を有する、実時間対応の接続部１２として形成されている。接続部１２は、追加的にチャンネルを備えることができ、チャンネル内で、たとえば実時間に関係しないデータ、たとえばオフセットΔΦｉおよび／または構成、生産速度などに関する情報を伝達することができる。
【００３６】
信号ライン１４，１６は、有利にはネットワーク１４として、またはネットワーク１４の一部として形成されている。ネットワーク１４は、有利な実施例では、確率的なアクセス方法に従って動作するネットワーク１４として形成されている。データ伝達は、少なくとも半二重式に実現するのが望ましい。
【００３７】
図３には、複数、ここでは３つの印刷タワー０１を備えた印刷機の駆動装置の１実施例を示しており、印刷タワー０１は、それぞれ複数の印刷装置０３、ここでは二倍型印刷装置（Doppeldruckwerk）０３を備えている。印刷タワー０１の印刷装置０３は、駆動装置０８およびモータＭと共に、群１８、特に印刷箇所群１８を成しており、群１８は、下位の駆動制御装置１７を介して信号ライン０９と接続されている。駆動制御装置１３は、印刷装置０３の下位群０２たとえば印刷ユニット０２または割り当てられた駆動装置０８を備えた別の部分を管理することができる。独自の下位の駆動制御装置１７を備えた別のユニット、たとえば単数もしくは複数の案内エレメント０７および／または単数もしくは複数の折り機０６は、信号ライン０９と接続されている。信号ライン０９は、ここでは有利にはリングトポロジーで、特に二重リングとして形成されていて、かつ図２に関して記載した単数または複数の特性を有している。
【００３８】
信号ライン０９は、上位の複数、ここでは２つの制御装置１３と接続されており、駆動制御装置１３は、案内軸ａ；ｂの各案内軸位置Φａ；Φｂの、それぞれ互いに異なる信号を信号ライン０９に供給することができる。これについて有利には、たとえば印刷機もしくは印刷タワー０１および／または印刷ユニット０２および／または印刷装置および所属の折り機０６ならびに案内エレメント０７は、個別的に、またはまとめて運転可能な複数のセクション２１；２２に割り当てられるよう所望される。生産およびウェブ案内は、図３において波線で示したセクション分離線を越えて、１セクション２１；２２の印刷ユニット０３から、別の１セクション２１；２２の印刷ユニットおよび／または別のセクション２１；２２の折り機０６に行うことができる。個々の印刷タワー０１は、たとえばそれぞれ異なる折り機０６に割り当てることができる。１印刷タワー０１の内側でも、下位群、たとえば印刷ユニット０３は、それぞれ異なるウェブ案内を有する異なるウェブに割り当てることができ、ウェブは、共通の、または異なる折り機０６に案内することができる。したがってセクション２１；２２は論理的に決まったユニットと解されない。
【００３９】
上位の駆動制御装置１３は、ウェブ案内および／または各セクション２１；２２の出発点および生産速度に関する設定値を、少なくとも１つのガイドスタンド１０と接続された、それぞれ割り当てられた計算兼データ処理ユニット１１から受け取る。有利な実施例では、両方の計算兼データ処理ユニット１１は、信号ライン１４を介して互いに接続されていて、かつ別の信号ライン２３と接続されており、信号ライン２３は複数、ここでは２つのガイドスタンド１０を相互接続する。
【００４０】
個々の駆動装置０８に関するオフセット値ΔΦｉは、該当する生産に関して、単数または複数の計算兼データ処理ユニット１１から信号ライン１４を介して各駆動装置０８に割り当てられた下位の駆動制御装置１７に送られ、かつ図２に示したような有利な実施例では、そこで記憶されて、案内軸位置Φａ；Φｂで処理して案内軸位置Φｉ´が形成される。下位群、たとえば印刷タワー０１の群１８の印刷ユニット０３がそれぞれ異なる２つのウェブに割り当てられている場合、下位の駆動制御装置１７は、該当する駆動装置０８に割り当てられた、案内軸ａ；ｂの案内軸位置Φａ；Φｂを、一方または他方のウェブに対する、該当する印刷部の所属に応じて、ウェブ案内のために設定されたオフセット値ΔΦｉで処理する。
【００４１】
下位の駆動制御装置１７への伝達は、この実施例では、直接的に行われるのではなく、制御系２４を介して行われ、制御系２４は、各群１８もしくは下位の独自の駆動制御装置１７を備えたユニット（たとえば折り機０６）に割り当てられている。たとえば独自の信号ライン２５を介して、制御系２４は信号ライン１４（もしくは計算兼データ処理ユニット１１）と接続されているか、またはライン区分２５は、ネットワーク１４として形成された信号ライン１４の構成部材である。制御系２４は、駆動モータＭとは異なるアクチュエータ、印刷ユニット０２もしくは印刷部群１８もしくは印刷装置０３もしくは折り機０６の駆動装置、たとえばインキ供給、ローラおよび／または胴の調節運動、湿し装置、位置などを制御し、かつ／または調整する。制御系２４は単数または複数の（特に記憶装置にプログラミング可能な）制御ユニット２６を備えている。この制御ユニット２６は、信号ライン２７を介して、下位の駆動制御装置１７と接続されている。複数の制御ユニット２６が存在する場合、制御ユニット２６は信号ライン２７によって相互接続されている。
【００４２】
制御系２４もしくは制御系２４の単数または複数の制御ユニット２６は、有利な実施例では、図示していない結合器、たとえばバス結合器によって、着脱可能に信号ライン１４に接続されている。これによって群１８は、原則的に閉じられて運転可能であり、この場合駆動装置０８の制御は、信号ライン１２を備えた一連の下位の駆動制御装置１７を介して行われ、また群１８の別の機能の制御は、一連の制御系２４を介して行われる。目標値ならびに実際値および偏差は、結合器を介して入力もしくは出力可能である。下位の制御装置１７は、この場合案内軸位置Φの設定値を受け取る。この理由から、また冗長性の理由から有利には、下位の全ての駆動制御装置１７は、案内軸位置Φを形成して設定する性能を備えて形成されている。
【００４３】
したがってオフセット値ΔΦｉは、図３の実施例では、信号ライン１４から各制御系２４を介して該当する下位の駆動制御装置１７に供給される。図２の実施例に関して記載したように、オフセット値ΔΦｉは、選択的に駆動制御装置１７から駆動装置０８に送られて、そこで記憶して処理することができる。
【００４４】
図２および図３の実施例では、たとえば単数または複数の群１８、もしくは下位の独自の駆動制御装置１７を備えたユニット（たとえば折り機０６）の１つが、下位の駆動制御装置１７を備えている場合、上位の駆動制御装置１３は省略することができる。仮想の案内軸もしくは案内軸位置Φは、たとえば駆動制御装置１７の１つによって設定可能である。
【００４５】
極めて有利には、図２および図３に示したように、まだ個々の駆動装置０８に適合されていない案内軸の回転と、角度姿勢に該当する情報（オフセット値ΔΦｉ、レジスタ偏差）とに関して、特別な信号ライン０９もしくは１６；１６´；１４；２５；２７が設けられている。したがってオフセット値ΔΦｉの伝達および／または変化による個々の駆動装置０８の基本調整も、縦レジスタの調整に関する、角度姿勢の、生産中に必要な修正も、特別な信号ライン１６；１６´；１４；２５；２７を介して下位の駆動制御装置１７（もしくは駆動装置０８自体）で得られる。レジスタ（見当）調整の場合、たとえば適当な調節値は、信号ライン２７を介して制御装置１７に送られ、個々の駆動装置０８のための固有の目標角度姿勢を求める際に、案内軸位置とオフセットΔΦｉとから形成された目標値に重畳される。このような方法によって、案内軸を案内する信号ライン０９を介する高められたデータ流れは回避される。既に各駆動装置０８に適合された多くのそれぞれ異なるデータパケットは、信号ライン０９によって案内する必要はない。その結果個々の駆動装置０８に関して、極めて低い信号レートが生じ得る。下位の駆動制御装置１７は、専ら狭い範囲で制限された数の駆動装置０８を管理するので、データは信号ライン１２において適当な形式で取扱可能である。この数は、セクション全体に割り当てられた全ての駆動装置０８の数と比較できるものではない。
【００４６】
記載の全ての実施例では、少なくとも１つの案内軸位置Φ；Φａ；Φｂは、少なくとも１つの駆動制御装置１３；１７によって設定され、単数または複数の駆動制御装置１３；１７で、機構的にそれぞれ独立して駆動されるユニットの駆動装置０８の姿勢が配向される。各駆動装置０８に固有のオフセット値ΔΦｉが割り当てられており、オフセット値ΔΦｉは、それぞれ割り当てられた案内軸ａ：ｂの案内軸位置Φ；Φａ；Φｂに対する相対的な目標姿勢を表している。したがってたとえば特定の生産に関して、印刷タワー０１（もしくは印刷ユニット０２もしくは印刷装置０３）の、機構的にそれぞれ独立した全部の駆動装置０８、ならびに折り機０６および場合によっては案内装置０７の、割り当てられた駆動装置０８に、それぞれ生産に関する案内軸ａ；ｂに関する固有のオフセット値ΔΦｉが割り当てられる。
【００４７】
このオフセット値ΔΦｉは、実質的に純粋な幾何学的動作に基づくものである。一方では、オフセット値ΔΦｉは、選択されたウェブ案内、つまり個々のユニットの間のウェブ経路に依存している。また他方では、オフセット値ΔΦｉは、個々の駆動装置０８のランダムな、または選択されたゼロ位置に依存し得る。規定のゼロ位置が案内軸ａ；ｂのゼロ位置に一致する場合、後者の依存性は生じない。
【００４８】
図４には、駆動モータＭを備えた駆動装置０８の構成部材を概略的に示した。駆動装置０８は、少なくとも１つの調整装置２８ならびにたとえばエネルギを供給するための出力部２９を備えている。駆動装置０８は、センサ３１、特に角度パスルセンサ３１と接続されており、センサ３１は調整装置２８に、駆動モータＭもしくは駆動しようとするユニットの現行の角度位置を通報する。角度パルスセンサ３１は、駆動モータＭの図示していない軸と接続されていて、かつ駆動モータＭの回転運動に従う（１：１または別の所定の形式）。角度パルスセンサ３１は、駆動モータＭによって駆動しようとするユニットに配置することもできる。
【００４９】
駆動装置０８の基本調節もしくはオフセット値ΔΦｉの算出および規定は、たとえば以下のようにして行われる。
【００５０】
最初の運転開始前に、印刷ユニット０２もしくは印刷装置０３および折り機０６で、基準位置としてのいわゆるレジスタ基本位置（０位置）が始動される。このことは、該当するユニットもしくは装置のための単数または複数の駆動装置０８を交換したあとでも当てはまる。この基準位置では、印刷ユニット０２（もしくは印刷装置０３）に対して折り機０６が、また版胴０４（および印刷装置０３の内側における対抗圧胴）が互いにレジスタに応じて位置する。基準位置は、有利な実施形態では、印刷装置０３の少なくとも胴０４（および対抗圧胴）で、かつ折り機０６の少なくとも１つの胴もしくはローラ、特に裁断胴で、機械的な視覚マークによって規定される。
【００５１】
このために基準化されるべき駆動装置０８もしくは駆動モータＭは、機械的に、または電気的なリセット（Rueckbetrieb）で、機械的な視覚マークに対して調節される。駆動装置０８もしくは駆動装置０８の調整装置２８に、角度パルスセンサ３１の値が、たとえば手動で、またはサービスＰＣによって、ゼロ−位置として記憶される。選択的に記憶は、ガイドスタンド１０において命令「基準位置占有」を介して行うことができ、この場合接続された角度パルスセンサの値もまた駆動装置０８もしくは駆動装置０８の調整装置２８に記憶される。
【００５２】
機械的な視覚マークの占めるゼロ−位置は、原則として単に大まかな値を表しているので、ウェブ案内および別のファクタに応じて、実際のオフセット値ΔΦｉもしくは案内軸位置Φ；Φａ；Φｂに対する角度偏差ΔΦｉは、印刷像もしくは最初の印刷後の区分に応じて、たとえば手動で、または適当な測定装置によって求められる。原則としてオフセット値ΔΦｉの算出は、角度ではなく長さ、たとえばｍｍで行われる。これは算出および記憶の基本原理で変化されるのではなく、単に別の処理で変化される。なぜならば長さは、該当する、ウェブと協働するユニットの周囲を知った上で、角度に換算可能であり、またその逆も可能であるという理由による。
【００５３】
たとえば印刷装置０３および折り機０６の個々の駆動装置０８におけるオフセット値ΔΦｉに関して、ｍｍで求められる値は、ガイドスタンド１０で記憶されるか、または計算兼データ処理ユニット１１に記憶される。さらに有利には、オフセット値ΔΦｉ（たとえばｍｍ）の偏差は、固有のウェブ案内のためのデータに関して記憶されるか、またはその逆である。
【００５４】
オフセット値ΔΦｉ（たとえばｍｍ）の入力は、たとえばいわゆる印刷レジスタ（見当合わせ）入力もしくは印刷偏差に関する入力画面を介して行われる。このオフセット値ΔΦｉ（たとえばｍｍ）は、信号ライン１４（および場合によっては存在する信号ライン２３）を介して、既に記載したように、駆動装置０８または下位の駆動制御装置１７に送られる。入力がｍｍで行われる場合、値は角度に換算される。したがってたとえばｍｍで提供されたオフセット値ΔΦｉは、制御系２４（図３に示した）を介して伝達されると、そこで角度値としての適当なオフセット値ΔΦｉに換算される。角度に換算されたオフセット値ΔΦｉは、制御系２４もしくは制御装置２６から割り当てられた下位の駆動調整装置１７に送られて、そこでオフセット値ΔΦｉ（角度）として記憶される。
【００５５】
同様の形式で、折り機０６の駆動装置０８のためのオフセットΔΦｉは、ガイドスタンド１０および／または計算兼データ処理ユニット１１で、いわゆる折り−印刷偏差に関して入力され、オフセット値ΔΦｉの記憶は、折り機０６の駆動装置０８で行われる。
【００５６】
オフセット値ΔΦｉは、案内軸ａ；ｂに対する偏差から生じる、原則として任意の値を占めていてよい。印刷装置０３または折り機０６の個々の駆動装置０８に関して、オフセット値ΔΦｉはゼロであってもよく、つまり偏差が存在しない。
【００５７】
自動化のために、ウェブ案内に応じて手動で求められたオフセット値ΔΦｉは、ガイドスタンド１０を介して記憶させることができ、この生産を繰り返す際に呼び出して、前述の経路を介して新たに駆動装置０８に伝達することができる。
【００５８】
印刷機もしくは該当するユニットが運転されると、駆動装置０８は、オフセット値ΔΦｉを加えたゼロ−位置で、案内軸位置Φ；Φａ；Φｂに従い、従って常に正常の姿勢を有している。図５には、このような状況を、印刷装置０３および折り機０６に共通の案内軸ａ；ｂおよび案内軸位置Φ；Φａ；Φｂと共に、概略的に示した。印刷装置０３もしくは印刷装置０３を駆動する駆動装置０８は、姿勢Φ＋ΔΦＤＷｊ、つまり案内軸位置Φ；Φａ；Φｂとｊ番目の印刷装置０３にとって固有のオフセットΔΦＤＷｉ（ウェブ案内状態で）との和を受け取り、折り機０６もしくは折り機０６の駆動装置０８は、姿勢Φ＋ΔΦＦＡｋ、つまり案内軸位置Φ；Φａ；Φｂと、ｋ番目の折り機０６にとって固有のオフセットΔΦＦＡｋ（ウェブ案内状態で）との和を受け取る。この関係は、既に記載したように、別の装置固有のファクタのない簡略化された原理を示すものである。
【００５９】
有利な実施例では、各オフセットΔΦｉの修正は、本刷り（Fortdruck）中でも、もしくは機械が走行している間でも、ガイドスタンド１０および／または計算兼データ処理ユニット１１で行うことができる。
【００６０】
印刷機の始動もしくは走行は、たとえば以下のようにして行われる。
【００６１】
特定の生産の準備処理のために、ガイドスタンド１０を介して、手動で、または見越された（記憶された）データを介して、または上位の生産系を介して読み取られたデータを介して、生産に必要な全てのユニットもしくは装置の構成化が行われて、したがって駆動装置０８は該当する案内軸ａ；ｂに結合される。
【００６２】
次いでたとえば単数または複数のウェブの引込を行うことができる。このためにたとえば命令「引込」（場合によっては駆動装置０８のネット保護がオンであり、場合によっては新たな命令である、系の予備警告のあとで）で案内軸ａ；ｂの運動の解放が行われる。
【００６３】
同様の、または類似の形式で、始動は、単数または複数のウェブが既に引き込まれた状態で行うことができる。
【００６４】
案内軸位置Φ；Φａ；Φｂは、始動または生産の新たな開始に際して、有利な実施例では、たとえば所定の停止位置（角度姿勢ゼロまたは別の規定の設定値）から開始するか、または有利な実施例では、たとえば固定記憶装置に記憶された最後の位置（最後のカウント状態もしくは運動を再開する前の角度）から開始する。見当合わせの要求される、結合された全ての駆動装置０８は、そのあとで設定値（オフセット値ΔΦｉ）に応じて設定値に調整される。
【００６５】
たとえば２〜５ｍｓの時間間隔が経過すると、周期的に、新たな案内軸位置Φ；Φａ；Φｂは、上位の駆動制御装置１３から、生産に該当する全ての駆動装置０８もしくは下位の駆動制御装置１７に信号ライン０９を介して設定される。始動時に案内軸ａ；ｂは、たとえば１ｍ／ｍｉｎに相当する低い速度もしくは回転数で回転する。それぞれ異なる駆動装置０８は、開始時に場合によっては案内軸ａ；ｂに対して任意に「回動して」位置していてよい。
【００６６】
この段階で駆動装置０８は、全ての案内軸位置Φ；Φａ；Φｂもしくは固有の案内軸位置Φｉ´に従い、つまり機械は回転する。駆動装置０８に見当合わせの要求が課せられており（たとえば印刷装置０３および折り機０６の駆動装置０８）、駆動装置０８が依然として固有の案内軸位置Φｉ´に対する偏差を有していると、駆動装置０８は、固有の案内軸位置Φｉ´が得られるまで、つまり同期化されるまで、加速回転するか減速回転する。
【００６７】
ウェブに沿って存在する全ての案内エレメント０７、たとえば引張エレメントは、少なくとも周速度に関して案内軸位置Φ；Φａ；Φｂに同期化されるか、もしくはその角速度に関して同期化される。
【００６８】
有利な実施例では、生産速度は、全ての駆動装置０８の同期走行（姿勢もしくは速度の同期化）の通報のあとではじめて高められ、たとえば５ｍ／ｍｉｎのウェブ走行に相当する回転数に高められる。
【００６９】
案内軸位置Φ；Φａ；Φｂは、一定の速度で、たとえば上位の駆動制御装置１３から、２〜５ｍｓごとに、駆動装置０８もしくは下位の駆動制御装置１７に送られる。命令「加速」によって、前から後にかけてより大きな角度差がもたらされ、命令「減速」によって、前から後にかけてより小さな角度差がもたらされる。「休止」および／または「中断」の動作では、案内軸ａ；ｂによって案内される全ての駆動装置０８は、たとえばランプを介して回転数ゼロになり、駆動装置０８のネット保護はたとえば遮断され、折り機ブレーキは有利な実施例ではアクティブになる。
【００７０】
記載の運転形式によって、案内軸ａ；ｂは、各時点で（位置伝達の前述のクロック周波数を除いて）常に位置を設定し、結合された全ての駆動装置０８はこの位置に従う。
【００７１】
この生産もしくはウェブ案内のために求められた（かつ場合によっては後調節された）オフセット値ΔΦｉは、たとえば計算兼データ処理ユニット１１またはガイドスタンド１０に記憶されて見越される。あとで同じ生産もしくはウェブ案内の走行が所望されると、オフセット値ΔΦｉは呼び出されて、前述の経路を介して駆動装置０８もしくは駆動制御装置１３に、または特に駆動制御装置１７に供給することができる。このことはたとえば自動的に、既に記憶されるか、または上位の印刷管理システムによってガイドスタンド１０に伝達された構成を呼び出して行うことができる。
【００７２】
１実施例では、始動もしくは生産の新たな開始に際して、ユニットもしくは装置の１つの駆動装置０８の現行の角度姿勢から案内軸位置Φ；Φａ；Φｂが受け取られる。この場合少なくとも開始時に、この駆動装置０８と案内軸位置Φ；Φａ；Φｂとの間でゼロのオフセット値ΔΦｉが存在する。見当合わせの要求される、結合された残りの駆動装置０８は、後続の経過で、設定値（オフセット値ΔΦｉ）に応じて、前述の形式で、案内軸位置Φ；Φａ；Φｂで調整する必要がある。この場合案内軸ａ；ｂは、各時点で、位置を設定して、結合された全ての駆動装置０８（たとえば案内軸ａ；ｂの調整に関連する駆動装置０８も）はこの位置に従う。調整に関連する駆動装置０８は、後続の始動および／または生産の経過で、修正のために、ゼロではないオフセット値ΔΦｉを加えることができる。なぜならば案内軸ａ；ｂの調整後に、停止状態で、結合された全ての駆動装置０８は、依然として専ら案内軸ａ；ｂで配向されるからである。
【００７３】
調整に関連する駆動装置０８は、原則として、見当合わせの要求される各駆動装置、たとえば印刷装置０３の駆動装置であってよい。有利な実施例では、調整のために、折り機０６の駆動装置０８もしくは折り機の胴、たとえば裁断胴の姿勢が考慮される。調整後、つまり運転中に、折り機０６の駆動装置は、設定値を、再び共通の案内軸ａ；ｂから受け取る。
【００７４】
案内軸ａ；ｂの運転および調整のための別の形態では、案内軸ａ；ｂは、調整のために、調整に関連する装置もしくはユニット、たとえば折り機０６もしくは折り機０６の駆動装置０８の角度姿勢で同期化されるだけでなく、姿勢を、運転中でも、持続的または周期的に、このユニットもしくは装置、たとえば折り機の姿勢から受け取る。この形態では、残りの全ての駆動装置０８の姿勢は、このユニットもしくは装置の姿勢に関して設定され、この装置と案内軸ａ；ｂとの間のオフセット値ΔΦｉは常にゼロである。
【００７５】
該当する縦レジスタ（周囲および／または区分レジスタ）は、原則として少なくとも３つのエラー種の間で異なっている。
【００７６】
それぞれ異なるウェブの印刷（画像）は、たとえば互いにレジスタからずれているが、区分は少なくとも印刷もしくはウェブに適合する。ここでは印刷機は、たとえばレジスタエラーを、経路設定の変化、たとえば該当するウェブの最後の印刷位置と折り機０６との間における縦レジスタローラの変化によって、手動でガイドスタンドにおいて補償する。印刷装置０３の駆動装置０８に関するオフセット値ΔΦｉの変化を行うこともできる。両方の形態は、自動的にレジスタ調整で行うことができる。
【００７７】
印刷が互いに一致しているが、区分が印刷に適合していない場合、修正は、いわゆる折り−印刷偏差を介して、つまり折り装置０６の駆動装置０８に関するオフセット値ΔΦｉの変化を介してガイドスタンドで可能である。オフセットΔΦｉは、適当な値に変化させることができる。
【００７８】
１印刷で、インキの姿勢が互いに周方向で一致しない場合、ガイドスタンド１０において、手動で、またはセンサを備えた適当な調整系を介して、該当する単数または複数の印刷装置０３のオフセット値ΔΦｉ、およびオフセット値ΔΦｉの相対姿勢は変化させることができる。
【図面の簡単な説明】
【００７９】
【図１】駆動装置の第１の実施例を示す図である。
【図２】駆動装置の第２の実施例を示す図である。
【図３】駆動装置の第３の実施例を示す図である。
【図４】駆動装置を概略的に示す図である。
【図５】運転中の相対姿勢を概略的に示す図である。
【符号の説明】
【００８０】
０１  印刷タワー、  ０２  印刷ユニット、下位群  ０３  印刷装置、二倍型印刷装置  ０４  胴、  ０６  後続処理ユニット、折り機、  ０７  案内エレメント、  ０８  駆動装置、  ０９  信号ライン、接続部、  １０  操作ユニット、ガイドスタンド、  １１  計算兼データ処理ユニット、計算機、  １２  信号ライン、ネットワーク、バス、  １３  計算ユニット、上位の駆動制御装置、  １４  信号ライン、ネットワーク、  １６  信号ライン、接続部、  １７  通信ノード、下位の駆動制御装置、  １８  群、印刷箇所群、  ２１  セクション、  ２２  セクション、  ２３  信号ライン、  ２４  制御系、  ２５  信号ライン、  ２６  制御ユニット、  ２７  信号ライン、  ２８  調整装置、  ２９  ライン部分、  ３１  センサ、角度パルスセンサ、  １６´  理論的な接続部、  Φ  案内軸位置、  Φａ  案内軸位置、  Φｂ  案内軸位置、  ΔΦｉ  オフセット、オフセット値、角度偏差、  ΔΦＤＥｊ  オフセット、ｊ番目の印刷装置、  ΔΦＦＡｉ  オフセット、ｋ番目の折り機、  Φｉ  固有の案内軸位置、  Φｉ´  案内軸位置、目標−角度姿勢、  Ｍ  駆動モータ
【図１】
2005539331.tif 000002
【図２】
2005539331.tif 000003
【図３】
2005539331.tif 000004
【図４】
2005539331.tif 000005
【図５】
2005539331.tif 000006
【手続補正書】
【提出日】平成16年12月22日(2004.12.22)
【手続補正１】
【補正対象書類名】特許請求の範囲
【補正対象項目名】全文
【補正方法】変更
【補正の内容】
【特許請求の範囲】
【請求項１】
加工機械の駆動装置であって、
複数の装置（０１；０２；０３；０４；０６；０７）が設けられており、これらの装置（０１；０２；０３；０４；０６；０７）が、これらの装置（０１；０２；０３；０４；０６；０７）に割り当てられた各駆動ユニット（０８）を介して駆動モータ（Ｍ）によって機構的に互いに独立して駆動されており、
これらの駆動ユニット（０８）または前記装置（０１；０２；０３；０４；０６；０７）の下位の駆動制御装置（１７）の少なくとも１つと接続された第１の信号ライン（０９）が設けられており、該信号ライン（０９）が、仮想の案内軸（ａ；ｂ）の案内軸位置（Φ）の信号を案内するようになっている形式のものにおいて、
駆動ユニット（０８）または下位の駆動制御装置（１７）に、第１の信号ライン（０９）とは異なる少なくとも１つの第２の信号ライン（１４）を介して、オフセット（ΔΦｉ）が供給されるようになっており、該オフセット（ΔΦｉ）が、案内軸位置（Φ；Φａ；Φｂ）に対する目標角度位置（Φｉ´）の変位を規定していることを特徴とする、加工機械の駆動装置。
【請求項２】
第１の信号ライン（０９）が、案内軸位置（Φ）の信号を形成する上位の制御装置（１３；１７）と接続されている、請求項１記載の駆動装置。
【請求項３】
上位の駆動制御装置（１３；１７）と駆動ユニット（０８）との間に、少なくとも１つの下位の駆動制御装置（１７）が設けられており、該下位の駆動制御装置（１７）に、信号ライン（９）を介して、現行の案内軸位置（Φ）および／または案内軸運動に関する信号が伝達されるようになっており、下位の駆動制御装置（１７）に割り当てられた少なくとも１つの個々の駆動ユニット（０８）のための制御信号の固有の準備処理が、現行の案内軸位置（Φ）および／または案内軸運動を用いて行われるように、下位の駆動制御装置（１７）が形成されている、請求項２記載の駆動装置。
【請求項４】
加工機械の駆動装置であって、
複数の装置（０１；０２；０３；０４；０６；０７）が設けられており、これらの装置（０１；０２；０３；０４；０６；０７）が、これらの装置（０１；０２；０３；０４；０６；０７）に割り当てられた各駆動ユニット（０８）を介して駆動モータ（Ｍ）によって機構的に互いに独立して駆動されており、
これらの駆動ユニット（０８）または前記装置（０１；０２；０３；０４；０６；０７）の下位の駆動制御装置（１７）の少なくとも１つと接続された第１の信号ライン（０９）が設けられており、該信号ライン（０９）が、上位の制御装置（１３；１７）によって形成された、仮想の案内軸（ａ；ｂ）の案内軸位置（Φ）の信号を案内するようになっている形式のものにおいて、
上位の駆動制御装置（１３；１７）と駆動ユニット（８）との間に、少なくとも１つの下位の駆動制御装置（１７）が設けられており、該下位の駆動制御装置（１７）に、第１の信号ライン（０９）を介して、現行の案内軸位置（Φ）および／または案内軸運動に関する信号が伝達されるようになっており、下位の駆動制御装置（１７）に割り当てられた少なくとも１つの個々の駆動ユニット（０８）のための制御信号の固有の準備処理が、現行の案内軸位置（Φ）および／または案内軸運動を用いて行われるように、下位の駆動制御装置（１７）が形成されており、駆動ユニット（０８）または下位の駆動制御装置（１７）に、第１の信号ライン（０９）とは異なる少なくとも１つの第２の信号ライン（１４）を介してオフセット（ΔΦｉ）が供給されるようになっており、該オフセット（ΔΦｉ）が、案内軸位置（Φ；Φａ；Φｂ）に対する目標角度姿勢（Φｉ´）の変位を規定していることを特徴とする、加工機械の駆動装置。
【請求項５】
下位の駆動制御装置（１７）によって、これらの駆動制御装置（１７）の複数に割り当てられ、かつ生産に関与する複数の駆動ユニット（０８）に、前記駆動ユニット（０８）にアドレス指定された固有の目標角度姿勢（ΔΦｉ）が供給されるようになっている、請求項３または４記載の駆動装置。
【請求項６】
オフセット（ΔΦｉ）が、案内軸位置（Φ；Φａ；Φｂ）に対する目標角度姿勢（Φｉ´）の持続的で可変の変位を表している、請求項１または４記載の駆動装置。
【請求項７】
ウェブを印刷する印刷装置（０３）の少なくとも１つの駆動ユニット（０８）と、ウェブを後続処理する後置の装置（０６）の駆動ユニット（０８）とが、それぞれ信号ライン（０９）と接続されており、両方の前記駆動ユニット（０８）にそれぞれオフセット（ΔΦｉ）が割り当てられている、請求項１または４記載の駆動装置。
【請求項８】
駆動ユニット（０８）が、それぞれ下位の駆動制御装置（１７）を介して、信号ライン（０９）と接続されている、請求項１または４記載の駆動装置。
【請求項９】
後続処理する装置（０６）が、折り機（０６）として形成されている、請求項７記載の駆動装置。
【請求項１０】
少なくとも固有のウェブ案内に割り当てられた全ての駆動ユニット（０８）が、ウェブの搬送方向で見当合わせの要求を満たす必要のある装置（０１；０２；０３；０４；０６；０７）の回転駆動のために、共通の信号ライン（０９）と接続されている、請求項１または４記載の駆動装置。
【請求項１１】
少なくとも前記駆動ユニット（０８）に、オフセット（ΔΦｉ）が割り当てられている、請求項１０記載の駆動装置。
【請求項１２】
案内軸位置（Φ）を設定する装置（０１；０２；０３；０４；０６；０７）の１つのオフセット値（ΔΦｉ）が、ゼロである、請求項１または４記載の駆動装置。
【請求項１３】
機械的に互いに独立して駆動される装置（０１；０２；０３；０４；０６；０７）の複数の駆動ユニット（０８）が、共通の下位の駆動制御装置（１７）を介して、信号ライン（０９）と接続されている、請求項１記載の駆動装置。
【請求項１４】
複数の駆動ユニット（０８）が、前記装置（０１；０２；０３；０４；０６；０７）と共に、群（１８）を成している、請求項１３記載の駆動装置。
【請求項１５】
加工機械の駆動装置であって、
複数の装置（０１；０２；０３；０４；０６；０７）が設けられており、これらの装置（０１；０２；０３；０４；０６；０７）が、駆動モータ（Ｍ）によって機構的に互いに独立して、仮想の案内軸（ａ；ｂ）の案内軸位置（Φ）に関して回転駆動されるようになっており、駆動モータ（Ｍ）に、駆動調整装置を備えた駆動装置（０８）として形成された駆動ユニット（０８）が割り当てられている形式にものにおいて、
案内軸（Φ）を設定する上位の駆動制御装置（１３）が設けられており、前記装置（０１；０２；０３；０４；０６；０７）の群（１８）の駆動ユニット（０８）と、上位の駆動制御装置（１３）との間に、該群（１８）の全ての装置（０１；０２；０３；０４；０６；０７）に割り当てられた下位の駆動制御装置（１７）が配置されており、現行の案内軸位置（Φ）および／または案内軸運動ならびに個々の駆動装置（０８）に割り当てられたオフセット値（ΔΦｉ）を用いて、群（１８）に割り当てられた駆動ユニット（０８）のための制御信号の固有の準備処理が行われるように、下位の駆動制御装置（１７）が形成されていることを特徴とする、加工機械の駆動装置。
【請求項１６】
群（１８）が、複数の印刷装置（０３）を備えている、請求項１４または１５記載の駆動装置。
【請求項１７】
群（１８）が、少なくとも１つの印刷装置（０３）を備えた複数の下位群（０２）、特に印刷ユニット（０２）を備えている、請求項１４または１５記載の駆動装置。
【請求項１８】
群（１８）の駆動ユニット（０８）が、それぞれ異なる案内軸（ａ；ｂ）に割り当てられている、請求項１４または１５記載の駆動装置。
【請求項１９】
信号ライン（０９）が設けられており、該信号ライン（０９）が、現行の案内軸位置（Φ）および／または案内軸運動に関する信号を案内するようになっている、請求項１５記載の駆動装置。
【請求項２０】
信号ライン（０９）が、複数の仮想の案内軸（ａ；ｂ）の案内軸位置（Φ；Φａ；Φｂ）の信号を案内するようになっている、請求項１、４または１９記載の駆動装置。
【請求項２１】
下位群（１８）の駆動ユニット（０８）が、下位の制御装置（１７）によって、それぞれ異なる仮想の案内軸（ａ；ｂ）に関する目標角度姿勢（Φ´）を受け取るようになっている、請求項１７または２０記載の駆動装置。
【請求項２２】
固有のオフセット値（ΔΦｉ）が、駆動制御装置（１３；１７）で見越されている、請求項１または４記載の駆動装置。
【請求項２３】
固有のオフセット値（ΔΦｉ）が、下位の駆動制御装置（１３；１７）で見越されている、請求項１または４記載の駆動装置。
【請求項２４】
個々の駆動ユニット（０８）のための固有の目標角度姿勢（Φｉ´）が、駆動制御装置（１３；１７）において、案内軸位置（Φ；Φａ；Φｂ）と固有のオフセット（ΔΦｉ）とから形成されて、該当する駆動ユニット（０８）に供給されるようになっている、請求項２２または２３記載の駆動装置。
【請求項２５】
前記信号ライン（０９）とは異なる信号ライン（１４）を介して、前記装置（０１；０２；０３；０４；０６；０７）が、相互接続されていて、かつ計算兼データ処理ユニット（１１）と接続されている、請求項１または４記載の駆動装置。
【請求項２６】
前記信号ライン（０９）とは異なる信号ライン（１４）を介して、下位の駆動制御装置（１７）にオフセット値（ΔΦｉ）が供給されている、請求項２５記載の駆動装置。
【請求項２７】
前記信号ライン（０９）とは異なる信号ライン（１４）を介して、少なくとも駆動ユニット（０８）とは異なるアクチュエータおよび／または前記装置（０１；０２；０３；０４；０６；０７）の駆動ユニットのための目標値設定および実際値算出に関する、計算兼データ処理ユニット（１１）と前記装置（０１；０２；０３；０４；０６；０７）との間の通信が行われるようになっている、請求項２５記載の駆動装置。
【請求項２８】
操作ユニットが設けられており、該操作ユニットにオフセット値（ΔΦｉ）が入力されるようになっている、請求項１または４記載の駆動装置。
【請求項２９】
記憶ユニットが設けられており、該記憶ユニットに、固有の生産に関する個々の駆動ユニットのためのオフセット値（ΔΦｉ）を記憶させることができ、かつ必要な場合該記憶ユニットから前記オフセット値（ΔΦｉ）を読み取ることができるようになっている、請求項１または４記載の駆動装置。
【請求項３０】
加工機械を駆動する方法であって、
複数の装置（０１；０２；０３；０４；０６；０７）を、駆動ユニット（０８）によって機構的に互いに独立して駆動し、これらの装置（０１；０２；０３；０４；０６；０７）の駆動ユニット（０８）を接続する少なくとも１つの信号ライン（０９）で、仮想の案内軸（ａ；ｂ）の案内軸位置（Φ）の信号を案内する方法において、
駆動ユニット（０８）に、それぞれオフセット（ΔΦｉ）を割り当て、該オフセット（ΔΦｉ）が、案内軸位置（Φ；Φａ；Φｂ）に対する目標角度姿勢（Φｉ´）の持続的で可変の変位を規定するようにし、案内軸位置（Φ；Φａ；Φｂ）を、加工機械の始動前に、前記装置（０１；０２；０３；０４；０６；０７）の１つの現行の角度位置に基づいて調整し、それも案内軸位置（Φ；Φａ；Φｂ）を前記装置（０１；０２；０３；０４；０６；０７）の現行の角度姿勢から受け取って調整し、案内軸位置（Φ）を、加工機械の運転中に、信号ライン（０９）と接続された上位の駆動制御装置（１３；１７）によって設定し、運転中のあらゆる時点で前記位置を設定し、案内軸ａ；ｂの調整に関する駆動ユニット（０８）を含んだ、結合された全ての駆動ユニット（０８）が、運転中に前記位置に追従するようにすることを特徴とする、加工機械を駆動する方法。
【請求項３１】
加工機械を駆動する方法であって、
複数の装置（０１；０２；０３；０４；０６；０７）を、駆動ユニット（０８）によって機構的に互いに独立して駆動し、これらの装置（０１；０２；０３；０４；０６；０７）の駆動ユニット（０８）を接続する少なくとも１つの信号ライン（０９）で、仮想の案内軸（ａ；ｂ）の案内軸位置（Φ）の信号を案内する方法において、
駆動ユニット（０８）に、それぞれオフセット（ΔΦｉ）を割り当て、該オフセット（ΔΦｉ）が、案内軸位置（Φ；Φａ；Φｂ）に対する目標角度姿勢（Φｉ´）の持続的で可変の変位を規定するようにし、案内軸位置（Φ；Φａ；Φｂ）を、加工機械の始動前に、案内軸位置（Φ）の、最後に占められて記憶された位置で調整し、案内軸位置（Φ）を、加工機械の運転中に、信号ライン（０９）と接続された上位の駆動制御装置（１３；１７）によって設定し、見当合わせの要求される全ての結合された駆動装置（０８）を、次いでオフセット値（ΔΦｉ）に関する設定値に応じて案内軸位置（Φ）で調整することを特徴とする、加工機械を駆動する方法。
【請求項３２】
加工機械の停止後に、最後に占められた案内軸位置（Φ）を記憶装置に記憶させ、案内軸位置（Φ）を、新たな始動前に、記憶装置に記憶された案内軸位置で調整する、請求項３１記載の方法。
【請求項３３】
加工機械を駆動する方法であって、
複数の装置（０１；０２；０３；０４；０６；０７）を、駆動ユニット（０８）によって機構的に互いに独立して駆動し、これらの装置（０１；０２；０３；０４；０６；０７）の駆動ユニット（０８）を接続する少なくとも１つの信号ライン（０９）で、仮想の案内軸（ａ；ｂ）の案内軸位置（Φ）の信号を案内する方法において、
案内軸位置（Φ）を、印刷装置（０３）の角度姿勢によって設定し、少なくとも生産に割り当てられた一般的な駆動ユニット（０８）に、それぞれオフセット（ΔΦｉ）を割り当て、該オフセット（ΔΦｉ）が、案内軸位置（Φ；Φａ；Φｂ）に対する目標角度姿勢（Φｉ´）の持続的で可変の変位を規定するようにすることを特徴とする、加工機械を駆動する方法。
【請求項３４】
案内軸位置（Φ）を、加工機械の始動前に、印刷装置（０３）の現行の角度姿勢に基づいて調整する、請求項３３記載の方法。
【請求項３５】
案内軸位置（Φ）を、加工機械の運転中に、追加的に印刷装置（０３）の角度姿勢によって設定する、請求項３４記載の方法。
【請求項３６】
案内軸位置（Φ）を、加工機械の運転中に、信号ライン（０９）と接続された上位の駆動制御装置（１３；１７）によって設定する、請求項３４記載の方法。
【請求項３７】
案内軸位置（Φ）を、加工機械の運転中に、印刷装置（０３）に割り当てられた駆動制御装置（１７）によって設定する、請求項３３記載の方法。
【請求項３８】
案内軸位置（Φ）の調整前に、複数の印刷装置（０３）の１つを、基準として選択する、請求項３３記載の方法。
【請求項３９】
運転中に、ウェブの搬送方向で見当合わせの要求を満たす必要のある装置（０１；０２；０３；０４；０６；０７）の、少なくとも固有のウェブ案内に割り当てられた回転式の全ての駆動ユニットに、駆動制御装置（１３；１７）によって形成される案内軸位置（Φ）に依存して目標角度姿勢（Φｉ´）を設定する、請求項３０または３１記載の方法。
【請求項４０】
ウェブを印刷する印刷装置（０３）の、信号ライン（０９）と接続された少なくとも１つの駆動ユニット（０８）と、ウェブを後続処理する後置の装置（０６）の、信号ライン（０９）と接続された駆動ユニット（０８）とに、それぞれオフセット（ΔΦｉ）を割り当てる、請求項３０，３１または３３記載の方法。
【請求項４１】
案内軸位置（Φ）を、加工機械の運転中に、前記装置（０１；０２；０３；０４；０６；０７）の１つの現行の角度位置とは無関係に、専ら駆動制御装置（１３；１７）によって設定する、請求項３０または３１記載の方法。
【請求項４２】
固有のオフセット値（ΔΦｉ）を、駆動制御装置（１３；１７）において見越す、請求項３０、３１または３３記載の方法。
【請求項４３】
加工機械を駆動する方法であって、
複数の装置（０１；０２；０３；０４；０６；０７）を、駆動ユニット（０８）によって機構的に互いに独立して駆動する方法において、
第１の信号ライン（０９）で、専ら仮想の案内軸（ａ；ｂ）の、個々の駆動装置（０８）の相対的な目標角度姿勢にまだ適合されていない案内軸位置（Φ）の信号を案内し、第２の信号ライン（１６；１６´；１４；２５；２７）で、駆動ユニット（０８）または前記装置（０１；０２；０３；０４；０６；０７）の下位の駆動制御装置（１７）に、それぞれ固有のオフセット（ΔΦｉ）を供給し、該オフセット（ΔΦｉ）が、案内軸位置（Φ；Φａ；Φｂ）に対する目標角度姿勢（Φｉ´）の変位を規定するようにすることを特徴とする、加工機械を駆動する方法。
【請求項４４】
生産に関与する前記装置（０１；０２；０３；０４；０６；０７）に関する案内軸位置（Φ）の出力を、上位の駆動制御装置（１３）によって行い、前記装置（０１；０２；０３；０４；０６；０７）の個々の駆動ユニット（０８）のための固有の目標角度姿勢の準備処理を、下位の駆動制御装置（１７）で行い、該下位の駆動制御装置（１７）が、固有の目標角度姿勢を、設定値として、個々の前記装置（０１；０２；０３；０４；０６；０７）の調整装置（０８）に伝達する、請求項４３記載の方法。
【請求項４５】
加工機械を駆動する方法であって、
複数の装置（０１；０２；０３；０４；０６；０７）を、それぞれ駆動調整装置を備えた駆動装置（０８）として形成された駆動ユニット（０８）によって機構的に互いに独立して駆動する方法において、
第１の信号ライン（０９）で、専ら仮想の案内軸（ａ；ｂ）の、個々の駆動装置（０８）の相対的な目標角度姿勢にまだ適合されていない案内軸位置（Φ）の信号を案内し、案内軸位置（Φ）を、上位の駆動制御装置（１３）によって設定し、案内軸位置（Φ）を、駆動ユニット（０８）とは異なる下位の駆動制御装置（１７）に供給し、複数の前記装置（０１；０２；０３；０４；０６；０７）の群のための下位の駆動制御装置（１７）が、案内軸位置（Φ）および固有の各オフセット（ΔΦｉ）に基づいて、各前記装置もしくは前記装置の駆動ユニット（０８）の位置決めのための案内値を求めて出力することを特徴とする、加工機械を駆動する方法。
【請求項４６】
固有のオフセット値（ΔΦｉ）を、後置の複数の駆動ユニット（０８）に割り当てられた共通の下位の駆動制御装置（１３；１７）で見越す、請求項３０、３１、３３、４３または４５記載の方法。
【請求項４７】
個々の駆動ユニット（０８）のための固有の目標角度姿勢（Φｉ´）を、駆動制御装置（１３；１７）で、案内軸位置（Φ；Φａ；Φｂ）と固有のオフセット値（ΔΦｉ）とから形成して、該当する駆動ユニット（０８）に供給する、請求項３０、３１、３３、４３または４５記載の方法。
【請求項４８】
固有のオフセット値（ΔΦｉ）を、個々の駆動ユニット（０８）において見越し、該駆動ユニット（０８）において、固有の目標角度姿勢（Φｉ´）を、案内軸位置（Φ；Φａ；Φｂ）と固有のオフセット値（ΔΦｉ）とから形成する、請求項３０、３１、３３、４３または４５記載の方法。
【請求項４９】
オフセット値（ΔΦｉ）を、操作ユニットにおいて入力する、請求項３０、３１、３３、４３または４５記載の方法。
【請求項５０】
固有の生産に関する、個々の駆動ユニット（０８）のためのオフセット値（ΔΦｉ）を、記憶ユニットに記憶させ、必要な場合に該記憶ユニットから読み取る、請求項３０、３１、３３、４３または４５記載の方法。
【請求項５１】
案内軸位置（Φ）を、加工機械の始動前に、折り機（０７）としての現行の角度姿勢に基づいて調整する、請求項３０記載の方法。
【手続補正２】
【補正対象書類名】明細書
【補正対象項目名】０００５
【補正方法】変更
【補正の内容】
【０００５】
欧州特許公開第１１５１８６５号明細書から駆動制御装置が公知であり、ここでは個々の駆動装置に関する現行の案内軸インパルスもフェイズ修正値も共通のネットワークを介して各駆動装置に伝達される。１構成では、折り機の駆動装置に修正値が伝達されない。なぜならば折り機の位置は、基準値として作用するからである。
国際公開第９７／１１８４８号パンフレットには、駆動系のアーキテクチャが開示されており、ここでは印刷機の個々の駆動装置は、第１のバスを介して電子軸と接続されていて、かつパラメータ化のために追加的にパラメータバスと接続されている。欧州特許公開第０５６７７４１号明細書には、上位のマスタシステムに向かうマスタシステムと独立的な印刷箇所群に向かうマスタシステムとの分割を有する駆動アーキテクチャが記載されており、印刷箇所群では個々の駆動装置の位置決めが相互的に、かつ折り機に対して行われ、ここでは印刷箇所群の同期化は折り機から行われる。
２００２／１２４７４３によって、印刷機の駆動系が開示されており、ここでは中央の操作兼制御ユニットによって、データネットを介して、駆動データ設定値が、データ処理手段を備えた、個々のモータに割り当てられた駆動制御装置で出力される。


【国際調査報告】
2005539331.tif 000007
2005539331.tif 000008
2005539331.tif 000009
2005539331.tif 000010